(57)【要約】【課題】工期、騒音に優れ、臭気も少なく、意匠性に富み、コストも低廉なものである改装用防水床の施工法を提供する。【解決手段】洗い場床となる平坦部及び前記平坦部に連なる側壁部とを有し、これら平坦部及び側壁部には、既設浴室の排水口に対応する部位に連なる方形の切欠き部が設けられ、前記切欠き部には排水枡を形成するように排水口に合わせて３面からなる平面視コ字状の排水枡用立壁が形成され、平坦部の切欠き部には目皿を載置する受け部が形成されている浴室の改装用防水床の施工法であり、前記洗い場床となる平坦部及び側壁部は、主剤と硬化剤の組合せで専用の機械にて別々に加温しながらホース圧送してホース先端にて混合、攪拌して吹付けにより成形品としたウレタン成形シートを表面仕上げ材としてコンクリート下地に接着剤で貼付けて形成し、排水枡用立壁はウレタン成形シートによる型材の内側にウレタン樹脂を充填して既設コンクリートの切欠き部分を狭めるものとして形成する。【選択図】  図１
2017160597.tif 000002
【特許請求の範囲】
【請求項１】
洗い場床となる平坦部及び前記平坦部に連なる側壁部とを有し、これら平坦部及び側壁部には、既設浴室の排水口に対応する部位に連なる方形の切欠き部が設けられ、前記切欠き部には排水枡を形成するように排水口に合わせて３面からなる平面視コ字状の排水枡用立壁が形成され、平坦部の切欠き部には目皿を載置する受け部が形成されている浴室の改装用防水床の施工法であり、
前記洗い場床となる平坦部及び側壁部は、主剤と硬化剤の組合せで専用の機械にて別々に加温しながらホース圧送してホース先端にて混合、攪拌して吹付けにより成形品としたウレタン成形シートを表面仕上げ材としてコンクリート防水下地に接着剤で貼付けて形成し、
排水枡用立壁はウレタン成形シートによる型材の内側にウレタン樹脂を充填して既設コンクリートの切欠き部分を狭めるものとして形成することを特徴とした浴室の改装用防水床の施工法。
【請求項２】
表面仕上げ材としてのウレタン成形シートは、排水口周囲のウレタン成形シートを型材としてその内側にウレタン樹脂を充填した部分の上にも延設させる請求項１記載の浴室の改装用防水床の施工法。
【請求項３】
目皿を載置する受け部はウレタン成形シートによる型材に段部として形成する請求項１または請求項２記載の浴室の改装用防水床の施工法。
【発明の詳細な説明】
【技術分野】
【０００１】
本発明は、浴室の改装用防水床の施工法に関する。
【背景技術】
【０００２】
図１３、図１４は在来工法によりマンション、一般住宅等に設置された浴室の一例を示すもので、浴室１はコンクリート製の建築物躯体２をコンクリート防水下地７としてその上にアスファルト等による防水層３を形成するとともに、浴室の一画を浴槽載置場４とし、他方の一画にはタイル２４３を貼って洗い場５とし、壁６にもタイルを貼っている。
【０００３】
図中１４は既設浴槽、４４は浴槽１４の排水口で、浴槽載置場４に形成した４個の浴槽架台８上に載置・固定される。
【０００４】
浴室の改修や改装は、浴室内の湯水栓、ガス栓、換気扇等の末端機器を外し、既設浴槽１４を除き、排水口、点検口、ドア、額縁、沓摺り等を外し、床面、壁のタイルのはつり作業（削る作業）及びモルタルのはつり作業を行った後、再び、床面、壁、沓摺り裏面、排水口周囲の防水工事を行い、床にモルタルとともにタイルを貼り、壁にタイルを貼り、新しい浴槽を設置して浴室を復元させる。
【０００５】
この他にも周りの壁・天井・床が一体になっている風呂であるユニットバスに交換する方法、塗料による再塗装を行う方法、既存の壁面および天井面に、陶磁器製、ガラス製のセラミックスのタイルや、ＦＲＰ製パネルなどの硬質樹脂製パネルなどを接着剤で新たに貼設する方法などある。
【０００６】
また、下記特許文献は既設浴室の洗い場の床に適用して設置する防水床成形品として提案されたもので、図１２に示すように、改装用防水床は表面模様入りのＦＲＰ一体成形品で、洗い場床となる平板部２７及び前記平板部２７の長手方向の一辺と略直角に連なる下降する側壁部２８とを有し、前記平板部２７及び側壁部２８には、既設浴室の排水口１１に対応する部位にそれぞれ互いに連なる方形の切欠き２９が設けられ、前記切欠き部には排水枡を形成するように浴室の排水口１１に合わせて３面からなる平面視コ字状の排水枡用立壁３１，３１ａ，３１ｂが形成され、平板部の切欠き部には目皿２６を載置する受け部３０が形成されている。
【特許文献１】特開２０００−１１６５６３号公報
【０００７】
この特許文献１では、防水床４５を洗い場床面上に配置し、エポキシ樹脂系接着剤等の接着剤を用いてこれを床面に接着させる。接着剤が硬化した後、貼り付けた防水床４５の周囲および防水床４５の排水枡用立壁３１，３１ａ，３１ｂとモルタル（防水下地）との間に、ガラス繊維、ガラスマット、サーフェイスマット等の補強材及び接着剤（高引火点防水用樹脂等）を用いるＦＲＰライニング工法により防水層を形成させ、浴室の排水口１１（図１３参照）を除く浴室床全面の防水を完成させる。
【発明の概要】
【発明が解決しようとする課題】
【０００８】
前記タイルのはつり作業（削る作業）及びモルタルのはつり作業を行った後、再び、床面、壁、沓摺り裏面、排水口周囲の防水工事を行い、床にモルタルとともにタイルを貼り、壁にタイルを貼り、新しい浴槽を設置して浴室を復元させる従来の改修方法では、作業が煩雑で改修に時間がかかり、排水口周囲は美観に欠ける問題があった。
【０００９】
また、ユニットバスによる交換は高額であり、再塗装は、強い臭気が発生し、作業者や周辺住民への健康被害を及ぼすおそれがある。
【００１０】
また、陶磁器製、ガラス製のセラミックスのタイルによる改修は、数多くのタイルを壁面に貼り付ける必要があり、施工に長時間を要する上に目地の形成などに高度の技術を要する。
【００１１】
また、ＦＲＰ製パネルは、硬いため、切断を丸鋸等で行う必要があり、騒音を発生するため、集合住宅、病院等で使用するには不向きであり、また、柔軟性に乏しいため、被着体面の不陸に対して追従性が悪く、接着し難い、という問題がある。また、タイルやＦＲＰ製パネルでは、冬場には表面温度が低くなり易いという問題は解決し得ない。
【００１２】
前記特許文献１による表面模様入りのＦＲＰ一体成形品の改装用防水床を用いる改修方法でもユニットバスによる改修方法と同様で、金型を用いる成形品であるため設置する浴室は寸法が限定されたものとなり、汎用性に乏しい。また、寸法合わせに切断等の加工をおこなう必要が生じた場合は前記ＦＲＰ製パネルの貼り付けと同様の騒音を発生などの問題がある。
【００１３】
本発明の目的は前記従来例の不都合を解消し、工期、騒音に優れ、臭気も少なく、意匠性に富み、コストも低廉である浴室の改装用防水床の施工法を提供することにある。
【課題を解決するための手段】
【００１４】
前記目的を達成するため請求項１記載の本発明は、洗い場床となる平坦部及び前記平坦部に連なる側壁部とを有し、これら平坦部及び側壁部には、既設浴室の排水口に対応する部位に連なる方形の切欠き部が設けられ、前記切欠き部には排水枡を形成するように排水口に合わせて３面からなる平面視コ字状の排水枡用立壁が形成され、平坦部の切欠き部には目皿を載置する受け部が形成されている浴室の改装用防水床の施工法であり、前記洗い場床となる平坦部及び側壁部は、主剤と硬化剤の組合せで専用の機械にて別々に加温しながらホース圧送してホース先端にて混合、攪拌して吹付けにより成形品としたウレタン成形シートを表面仕上げ材としてコンクリート防水下地に接着剤で貼付けて形成し、排水枡用立壁はウレタン成形シートによる型材の内側にウレタン樹脂を充填して既設コンクリートの切欠き部分を狭めるものとして形成することを要旨とするものである。
【００１５】
請求項１記載の本発明によれば、洗い場床となる平坦部及び側壁部は主剤と硬化剤の組合せで専用の機械にて別々に加温しながらホース圧送してホース先端にて混合、攪拌して吹付けにより成形品としたウレタンシートをコンクリート下地に接着材で貼り付けてなるもので、不陸等にも簡単に対応でき、シートによる成形品と現場で塗る不定形品である接着材とが一体化できるものとなり、水密性を上げることができる。
【００１６】
本発明はウレタン塗膜防水を行なうものであり、従来のウレタン塗膜防水は現場での吹付施工によるものであったが、他方、液状材料を塗布するため、水平に広がりやすく、下地面に不陸があると均一な厚みに施工できず、膜厚の確保が難しい短所があった。また、２液を現場で撹拌混合するために、撹拌混合が不十分であると未硬化など品質にバラツキを生じる短所もあった。
【００１７】
本発明は樹脂防水シートを製造して、現場で貼り合わせるので安定した品質確保のための準備ができ、更に、現場周囲への飛散防止用の養生、硬化を待つ養生期間など、現場作業を大幅に軽減できる効果がある。
【００１８】
また、前期接着剤は、手塗りでありながら、数時間で指触乾燥（タックフリー）となる硬化性を有する。硬化が速いことで浴室防水改修を速成で行うことが出きる。しかも、労働安全衛生法の特定化学物質であるＴＤＩやＭＯＣＡを全く含まないものを使用することで、現場でこれらを取扱う作業者や居住者の健康への影響も低減される。
【００１９】
これに加えてシートおよび硬化後接着材の物性は浴室での対温水性も良好であり、耐久性も高い。
【００２０】
また、既存の浴室排水溝を用途に応じて小さくしたり、段差位置を変えたりする場合の方法として、本発明はウレタン成形シートによる型材の内側にウレタン樹脂を充填して既設コンクリートの切欠き部分を狭めるものとしたので、複雑な形状も事前に型取りしているので精度のよいものとなり、型材としてのウレタン成形シートと充填する純粋なウレタンであるウレタン樹とが一体化し、既存下地、ウレタン型材との付着力に優れ、肌別れしない。また、複雑な形状も事前に型取りしているので精度のよいものとなる。
【００２１】
なお、モルタルで行う既存の工法と比べた場合、モルタルは速硬性のモルタルがあるが普通モルタルは硬化時間と仕上げまでの乾燥時間が必要であり、速硬性モルタルは硬化時間は短縮出来るが共に充填部分の境目の肌別れ、複雑な形状は補修作業が生じる等品質、精度的に限界が生じる。本発明によれば、これらの問題をウレタン成形シートによる型材で解決できる。
【００２２】
請求項２記載の本発明は、表面仕上げ材としてのウレタン成形シートは、排水口周囲のウレタン成形シートを型材としてその内側にウレタン樹脂を充填した部分の上にも延設させることを要旨とするものである。
【００２３】
請求項２記載の本発明によれば、表面仕上げ材としてのウレタン成形シートをこの排水口周囲のウレタン成形シートを型材としてその内側にウレタン樹脂を充填した部分の上にも延設させることで、ウレタン相互で固めて一体的なものとすることができる。
【００２４】
請求項３記載の本発明は、目皿を載置する受け部はウレタン成形シートによる型材に段部として形成することを要旨とするものである。
【００２５】
請求項３記載の本発明によれば、目皿を載置する受け部を形成するのにウレタン成形シートにこれを予め形作ることで、施工の簡素化、合理化を図ることができる。
【発明の効果】
【００２６】
以上述べたように本発明の浴室の改装用防水床の施工法は、工期、騒音に優れ、臭気も少なく、意匠性に富み、コストも低廉なものである。
【発明を実施するための形態】
【００２７】
以下、図面について本発明の実施の形態を詳細に説明する。図１は本発明の浴室の改装用防水床の施工法の１実施形態を示す平面図、図２は同上要部の拡大平面図、図３は要部の拡大断面図で、既設浴室の構造は前記のごとく図１３、図１４に示すものである。
【００２８】
対象となる浴室１はコンクリート製の建築物躯体２上に防水層を形成するとともに、浴室の一画を浴槽載置場４とし、他方の一画は洗い場５とし、壁６にも防水を施す。図中１９は入口、１３は窓を示す。
【００２９】
浴室の改装施工の手順としては、既存不要物の撤去から始まり、図示は省略するが、浴室内の湯水栓、ガス栓、換気扇等の末端機器を外し、浴槽１４を除き、排水口、点検口、ドア、額縁、沓摺り等を外す。
【００３０】
次いで、清掃、下地補修等として、床面、壁のタイルのはつり作業（削る作業）及びモルタルのはつり作業を行った後、コンクリートスラブ、コンクリート壁などのコンクリート防水下地７を露出させる。
【００３１】
前記建築物躯体２にはモルタルまたはコンクリートにより浴槽載置場４は平坦部の上に４個の浴槽架台８が形成され、また、洗い場５となる部分はモルタルまたはコンクリートにより平坦部９及び前記平坦部９に連なる側壁部１０として形成され、また、前記浴槽載置場４とこの側壁部１０の間は溝１２が形成され、この溝１２に連なるものとして浴槽載置場４側と洗い場５側の両方に切欠き部１５、１６が形成されている。
【００３２】
また、これら切欠き部１６にはそれぞれ排水口１８が形成されている。排水口１７はバスタブの排水口で、これに切欠き部１５が対応してバスタブの排水を受ける。
【００３３】
本発明はこのような浴室のコンクリート防水下地７にウレタンの塗膜防水を施し、かつ、前記切欠き部１６には排水枡を形成するように排水口１８に合わせて３面からなる平面視コ字状の排水枡用立壁を形成するものであり、その際、既設のコンクリートの前記切欠き部１６を狭めて適切な大きさの排水枡を形成するようにするものである。
【００３４】
図８は前記洗い場５となる平坦部９を中心にウレタンの塗膜防水を施す本発明の概要を示す説明図であるが、シート型取り（図示せず）を行い、コンクリート防水下地７の上にプライマー２０を塗布し、さらにその上に接着剤２１を塗布した後、成形品としたウレタンシート２２を貼付ける。
【００３５】
なお、全体の施工手順は排水口（ドレイン）１８の周囲部分を先に行い、次いで浴槽載置場４、洗い場５の施工となる。
【００３６】
前記プライマー２０は、ＪＩＳ硬度Ａ５０、抗張力５０ｋｇ／ｃｍ2、伸び７００％程度の比較的軟らかいウレタンエラストマーからなる。
【００３７】
ウレタンシート２２は、これを形成するウレタン防水剤は、水酸基を２個以上有するＰＰＧの水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに可塑剤を加えた主材と、アミノ基を２個以上有するＤＥＴＤＡやジェファーミン等のアミン、水酸基を２個以上有するＰＰＧ、可塑剤、老化防止剤および反応触媒を配合した硬化材とからなり、これらに可塑剤を加えて混練した顔料とを予め混合し、専用の機械にて加温しながら、ホース圧送してホース先端にて混合、攪拌して凹状型枠に吹きつけて成形した。
【００３８】
ウレタンシート２２の材料であるウレタン防水剤として、例えば、ユープレックス株式会社の「コスミックＲＩＭ  Ｓ１００、Ｓ２００」が好適である。
【００３９】
また、凹状型枠の底に凹凸模様を形成しておけば、ウレタンシート２２の表面に梨地のように細かなもの、波のようなうねり模様、溜まった水を掃き出し易い模様や、滑りにくい模様、撥水性を発揮できる模様、蒸発を促す模様など従来からある各種機能の凹凸模様や、単に装飾を目的とした模様などを形成してウレタンシート２２を表面仕上げ材としての製品とすることができる。
【００４０】
さらに、ウレタンシート２２の成形に際しては、前記凹状型枠内部に離型剤を塗り、その後、内部にトップコート剤を塗装し、トップコート層を形成し、続いて、トップコート層が乾いたならば、トップコート層の表面に、前記ウレタン防水剤を吹き付けるようにすれば、トップコート層が一体成形したウレタンシート２２を得ることができる。
【００４１】
ここで使用するトップコート剤は、使用時にウレタン防水剤の経年劣化を防止することを主な機能として、例えば紫外線防止機能を有する材料（例えば、ユープレックス株式会社の「コスミック・トップＵＶ」）を使用する。また、トップコート層の色や平面模様も自由に形成することもできる。
【００４２】
ウレタンシート２２の物性を下記表１に示す。（ウレタンシート２２をリムシートと称する。）
【表１】
2017160597.tif 000003
【００４３】
接着剤２１は、耐水および耐温水性を有するに２成分型ポリウレタン樹脂であり、水酸基を２個以上有する水酸基当量５００以上のポリプロピレングリコール「ＰＰＧ」と水酸基を２個以上有する短鎖の多価アルコールとをイソシアネート基／水酸基＝１．９〜２．１さらに１．９５〜２．０５の当量インデックスで反応させて生成したイソシアネートプレポリマー（主剤）と、アミノ基を２個以上有するジエチルトルエンジアミン（ＤＥＴＤＡ）および水酸基を２個以上有する水酸基当量５００以上のポリプロピレングリコール「ＰＰＧ」もしくは、ポリプロピレングリコールの水酸基をアミノ化したジェファーミンを少なくても含有してなる（硬化剤）を、主剤イソシアネート基／（硬化剤のアミノ基＋水酸基）＝１．０〜１．３さらに１．１〜１．２の当量比で混合攪拌して得られる。
【００４４】
接着剤２１は、特定化学物質であるＴＤＩやＭＯＣＡを使用しないものであり、労働安全衛生法の特定化学物質を全く含まないので、製造工程や土木建築現場でこれらを取扱う作業者の健康への影響も低減される。
【００４５】
図中２３は断面直角三角形のシール材であり、壁面と床面のウレタンシート２２の端部の突合せによる隅角部にウレタンシート２２と同じ材質の二液型ポリウレタン樹脂の成形品である断面直角三角形のシール材２３を、直角からの面を各ウレタンシート２２への接着面として貼り込んだ。
【００４６】
床・立ち上がり、立ち上がりの入隅はコーナーアングル材で納めることも可能であるが、汚れが溜まりやすい等の欠点がある。これを面取り状にし、入隅に汚れを溜めなくする方法としては現場打ちシールがあるが厚みの確保、配合、下地処理等技能を要求される部分が多い。
【００４７】
これを予めウレタンシート２２と同等な高性能なウレタンで断面直角三角形のシール材２３を成型し専用の接着剤で接着させることにより容易に防水機能と施工性の向上（硬化時間は不要）につなげることができる。
【００４８】
また、ウレタンシート２２はこれを壁６の防水としても用いることができ、図示の例では出巾木２５の場合であり、ウレタンシート２２の端部は折り曲げて出巾木２５の上面に被せるが、その上をウレタンシール材２４で押さえる。
【００４９】
次に、排水口（ドレイン）１８の周囲部分の施工について説明する。これは既存の浴室排水溝を用途に応じて小さくしたり、段差位置を変えたりするもので、図５、図６に示すように、既存の切欠き部１６の表面にプライマー処理３２を施し、ウレタン成形シートによる型材３３を既存の切欠き部１６の表面より離間させて設置する。
【００５０】
該ウレタン成形シートによる型材３３の成形材料としては、前記ウレタンシート２２と同じ材料を用いることができ、また、該型材３３の上部内側には目皿（グレーチング）３７を載置する受け部３６を段部として形成しておく。
【００５１】
ウレタン成形シートによる型材３３は排水枡用立壁を構成するものであり、その内側にウレタン樹脂３４を充填して一体化し、これらで既設コンクリートの切欠き部１６を狭める。
【００５２】
ウレタン成形シートによる型材３３の形状については、外向きフランジを有するコ字形や図７に示すように枡形の矩形、円形なども使用できる。
【００５３】
前記充填するウレタン樹脂３４には前記接着剤２１と同じ材料が使用できる。
【００５４】
なお、ウレタン樹脂３４を充填するに際しては、型材３３の変形を防止するためアクリル板等による変形防止枠３５で型材３３の内側を抑えるようにすればよい。変形防止枠３５には透明材料を使用すればウレタン樹脂３４の充填状況を目視できるものとなる。
【００５５】
また、図５にウレタン成形シートによる型材３３にコ字形のものを使用した場合に、妻側端部が開放されたものとなるが、前記変形防止枠３５を型枠として配置することもでき、もしくはコ字形のウレタン成形シートによる型材３３の端部をさらに折り曲げて外向きフランジとし、この部分で閉塞するようにしてもよい。
【００５６】
また、このように排水口（ドレイン）１８の周囲部分を先に行い、次いで浴槽載置場４や洗い場５の防水施工を行なうが、洗い場５の表面仕上げ材としてのウレタンシート２２は、前記排水口周囲のウレタンシートを型材３３やその内側のウレタン樹脂３４の上にも延設させて貼ることができる。
【００５７】
防水施工の後で、浴槽３８を搬入して設置するが、図１１に示すように、壁６のウレタンシート２２に対しては、断面直角三角形のシール材２３をもって浴槽３８のバスタブ３９との取り合いを行い、また、図１０に示すように天井４０にもウレタンシート２２をもって防水を施す場合は、壁６のウレタンシート２２に対してはこの天井４０のウレタンシート２２と断面直角三角形のシール材２３をもって接合を行なう。
【００５８】
図９は沓摺り部分を示すもので、沓摺４１の上にはノンスリップタイプのウレタン成形シート２２を貼り、これをウレタンシート２２と接合させるのにも断面直角三角形のシール材２３をもって接合を行なうことができる。
【図面の簡単な説明】
【００５９】
【図１】本発明の浴室の改装用防水床の施工法の１実施形態を示す平面図である。
【図２】本発明の浴室の改装用防水床の施工法の１実施形態を示す要部の拡大平面図である。
【図３】本発明の浴室の改装用防水床の施工法の１実施形態を示す要部の拡大断面図である。
【図４】本発明の浴室の改装用防水床の施工法の排水枡部分の拡大断面図である。
【図５】本発明の浴室の改装用防水床の施工法の排水枡部分の斜視図である。
【図６】本発明の浴室の改装用防水床の施工法の排水枡部分の説明図である。
【図７】ウレタン成形シートによる型材の他例を示す斜視図である。
【図８】本発明の浴室の改装用防水床の施工法の洗い場および壁部分の斜視図である。
【図９】本発明の浴室の改装用防水床の施工法の沓摺り部分の断面図である。
【図１０】本発明の浴室の改装用防水床の施工法での壁・天井部分の斜視図である。
【図１１】本発明の浴室の改装用防水床の施工法での壁・浴槽部分の取り合いを示す斜視図である。
【図１２】従来例を示す斜視図である。
【図１３】浴室の一例を示す平面図である。
【図１４】浴室の一例を示す断面図である。
【符号の説明】
【００６０】
１…浴室                  ２…建築物躯体
３…防水層                ４…浴槽載置場
５…洗い場                ６…壁
７…コンクリート防水下地
８…浴槽架台              ９…平坦部
１０…側壁部              １１…浴室の排水口
１２…溝                  １３…窓
１４…既設浴槽            １５、１６…切欠き部
１７、１８…排水口        １９…入口
２０…プライマー          ２１…接着剤
２２…ウレタンシート      ２３…断面直角三角形のシール材
２４…ウレタンシール材
２５…出巾木              ２６…目皿
２７…平板部              ２８…側壁部
２９…切欠き              ３０…受け部
３１，３１ａ，３１ｂ…排水枡用立壁
３２…プライマー処理
３３…ウレタン成形シートによる型材
３４…ウレタン樹脂        ３５…変形防止枠
３６…受け部              ３７…目皿（グレーチング）
３８…浴槽              ３９…バスタブ
４０…天井              ４１…沓摺
４２…ノンスリップタイプのウレタン成形シート
４３…タイル            ４４…排水口
４５…防水床
【図１】
2017160597.tif 000004
【図２】
2017160597.tif 000005
【図３】
2017160597.tif 000006
【図４】
2017160597.tif 000007
【図５】
2017160597.tif 000008
【図６】
2017160597.tif 000009
【図７】
2017160597.tif 000010
【図８】
2017160597.tif 000011
【図９】
2017160597.tif 000012
【図１０】
2017160597.tif 000013
【図１１】
2017160597.tif 000014
【図１２】
2017160597.tif 000015
【図１３】
2017160597.tif 000016
【図１４】
2017160597.tif 000017
【手続補正書】
【提出日】平成28年3月9日(2016.3.9)
【手続補正１】
【補正対象書類名】図面
【補正対象項目名】図４
【補正方法】変更
【補正の内容】
【図４】
2017160597.tif 000018
【手続補正２】
【補正対象書類名】図面
【補正対象項目名】図９
【補正方法】変更
【補正の内容】
【図９】
2017160597.tif 000019
【手続補正３】
【補正対象書類名】図面
【補正対象項目名】図１０
【補正方法】変更
【補正の内容】
【図１０】
2017160597.tif 000020